(57)【要約】【課題】顧客に負担をかけない安全な施術であり、肌本来の機能を高めて即効効果を得る。【解決手段】電気的筋肉刺激装置を用いて一対の電極から低周波及び高周波刺激信号を同時かつランダムに通電することにより表情筋を刺激してその動きを活性化させてフェイスラインを引き締める表情筋引き締め工程と、微弱電流を通電しながら皮膚マッサージを施すことによりコラーゲン生成と血行を促進させる代謝促進工程と、海藻エキスと植物エキスを配合したパック剤を塗布し所定時間の経過後に取り除くパック工程とを施す。【選択図】図１
2008173230.tif 000002
【特許請求の範囲】
【請求項１】
電気的筋肉刺激装置を用いて一対の電極から低周波刺激信号と高周波刺激信号を同時かつランダムに通電することにより、表情筋を刺激してその動きを活性化させてフェイスラインを引き締める表情筋引き締め工程と、
微弱電流を通電しながら皮膚マッサージを施すことにより、コラーゲン生成と血行を促進させる代謝促進工程と、
海藻エキスと植物エキスを配合したパック剤を塗布し、所定時間の経過後に取り除くパック工程と
を施すことを特徴とするフェイシャル美容施術法。
【請求項２】
前記表情筋引き締め工程の準備工程として、少なくとも洗顔処理と、導電性ジェルを塗布する処理を行うことを特徴とする請求項１に記載のフェイシャル美容施術法。
【請求項３】
前記代謝促進工程が、施術者が手にはめた導電型のトーニング・グローブにより微弱電流を通電しながら首筋及びフェイス各部に皮膚マッサージを施す工程であることを特徴とする請求項１又は請求項２に記載のフェイシャル美容施術法。
【請求項４】
前記パック工程が、少なくとも海藻エキス、ユキノシタエキス、クワエキス、オウゴンエキス、ブドウエキスを配合した粉末状のパック素材を精製水に混ぜ合わせてなるパック剤を用いることを特徴とする請求項１乃至請求項３のいずれか１に記載のフェイシャル美容施術法。
【発明の詳細な説明】
【技術分野】
【０００１】
本発明は、エステティック施術者が顧客の首筋から顔面（フェイス）に対して施術するフェイシャル美容施術法に関する。
【背景技術】
【０００２】
例えば美容外科や皮膚科等の医療分野においては、フェイシャル医療やアンチエイジング治療として、専門医師により外科的手術或いは各種電磁波の出射機器を用いたシワやたるみを改善する施術或いはリフトアップの施術等が施される。美容医療分野においては、電磁波としては、例えばＲＦ波（高周波）、レーザ光或いはこのレーザ光よりも緩やかに作用するＩＰＬ（インテンスパルス ライト:Intense Pulsed Light）等が用いられている。また、美容医療分野においては、例えば美容液やクリーム液或いはパック剤等の化粧品を塗布する治療も行われている。
【０００３】
一方、エステティック分野においては、例えば顧客のフェイスに微弱電流や超音波を印加して表情筋を活性化させるフェイシャル美容施術を行うことが一般である。かかるフェイシャル美容施術は、従来単独で行われており、即効的な効果の確信が得られにくいといった問題があった。なお、表情筋とは、眼、鼻、口の開閉やほほや耳殻等を動かす筋肉であり、全体として約２０数種類に分類されてそれぞれの動作により豊かな表情を生成するとともに、衰えにより表情を乏しくさせるとともにしわやたるみを生じさせる。
【０００４】
表情筋には、主なものとして眼輪筋、頬骨筋、頬筋、口輪筋及びオトガイ筋等が挙げられ、眼輪筋の衰えにより目元の周囲に「からすの足跡」と呼ばれるしわを生じさせる。表情筋は、笑顔頬骨筋の衰えにより頬のたるみを生じさせ、頬筋の衰えにより口の横あたりに周囲にたるみを生じさせる。また、表情筋は、口輪筋の衰えにより口周囲のたるみやしわを生じさせ、オトガイ筋の衰えにより例えば二重あごの状態を生じさせる。
【０００５】
特許文献１には、マッサージ有効成分を含む美容液を充填したロールオン容器を用い、顧客に対して施術者によるマッサージを行うことにより、マッサージ効果と美容液効果とが同時に作用されるようにした複合の美容施術方法が開示されている。特許文献２には、人体に危険の無い微弱な交流電流を通電することにより筋肉運動を促す機器を用いたフェイシャル美容施術にも適用される方法が開示されている。
【特許文献１】特開２００４−２２２８６０号公報
【特許文献１】特開２００４−３４４４１１号公報
【発明の開示】
【発明が解決しようとする課題】
【０００６】
ところで、上述した美容医療技術においては、外科手術が施術時の患者に対する身体的負担が大きくかつ相当の養生期間も必要とするとともに、電磁波の照射により軽いやけどを生じさせる等の問題があった。また、美容液等の塗布治療も、もっぱら表皮への働きかけが主体であるものが多く、治療箇所に対して患者が希望する根本的な改善を図る効果が得られない。
【０００７】
また、従来のエステティック美容施術においては、上述したように単独での超音波等の印加施術では充分な効果が得られといった問題があり、特許文献１に開示される方法ではもっぱら身体部位が中心でありフェイス施術への適用が適当では無い。また、上述した特許文献２の機器も、もっぱら身体部位に適用されフェイス施術への適用については開示されていない。エステティック美容施術においては、顧客が心地よい気分で所定の施術を受けるとともに安全で即効的な効果が得られるようにすることが肝要であり、また簡易な方法によりエステティック施術者が施術に専念することができることが極めて重要である。
【０００８】
したがって、本発明は、顧客に負担をかけない安全な施術であり肌本来の機能を高めて即効効果を得るフェイシャル美容施術法を提供することを目的に提案されたものである。
【課題を解決するための手段】
【０００９】
上述した目的を達成する本発明にかかるフェイシャル美容施術法は、顧客に対してエステティック施術者による表情筋引き締め工程と、代謝促進工程と、パック工程とを施す。フェイシャル美容施術法は、表情筋引き締め工程が、電気的筋肉刺激装置を用いて一対の電極から低周波刺激信号と高周波刺激信号を同時かつランダムに通電することにより、表情筋を刺激してその動きを活性化させてフェイスラインを引き締める。フェイシャル美容施術法は、代謝促進工程が、微弱電流を通電しながら皮膚マッサージを施すことにより、コラーゲン生成と血行を促進させる。フェイシャル美容施術法は、パック工程が、海藻エキスと植物エキスを配合したパック剤を塗布し、所定時間の経過後に取り除くことにより肌の美白化と保湿による肌のキメを整える。
【００１０】
フェイシャル美容施術法においては、表情筋引き締め工程の準備工程として、顧客に対して少なくとも洗顔処理と、導電性を高めるために導電性ジェルを塗布する処理を行う。フェイシャル美容施術法においては、代謝促進工程が、エステティック施術者が手にはめた導電型のトーニング・グローブにより微弱電流を通電しながら首筋及びフェイス各部に皮膚マッサージを施す。フェイシャル美容施術法においては、パック工程に、少なくとも海藻エキス、ユキノシタエキス、クワエキス、オウゴンエキス、ブドウエキスを配合した粉末状のパック素材を精製水に混ぜ合わせてなるパック剤を用いる。
【発明の効果】
【００１１】
本発明にかかるフェイシャル美容施術法によれば、複合的な施術により加齢や紫外線等が原因で生じる肌機能の低下を顧客に対して負担をかけない安全な複合的施術により改善することが可能であり、また毛穴の引き締めや肌の美白化、潤いの付与等も合わせて可能とする。フェイシャル美容施術法によれば、衰えや機能低下が生じた表情筋を活性化させて、豊かな表情が生成されるようにする。
【発明を実施するための最良の形態】
【００１２】
以下、本発明の実施の形態として図面に示したフェイシャル美容施術法について詳細に説明する。フェイシャル美容施術法は、顧客に対するエステティック施術者による実施施術として図１に示すように準備工程１と、表情筋引き締め工程２と、代謝促進工程３と、パック工程４との複合的な施術を施すことにより、加齢や紫外線等が原因で生じた肌機能の低下を回復し、シワやたるみの改善とともに毛穴の引き締めや肌の美白化、潤いの付与等を施す。
【００１３】
なお、フェイシャル美容施術法においては、従来のエステティック施術と同様に、エステティック施術者による実施術のさらに準備工程１の前工程として、顧客に対して施術内容の詳細を説明するとともに、問診やフェイスの肌状態或いはシワや弛み等の状態を診断するカウンセリングも実施される。フェイシャル美容施術法においては、このカウンセリング結果に基づいて詳細を後述する各工程における具体的な施術の条件等が決定される。
【００１４】
フェイシャル美容施術法は、準備工程１が、施術するフェイスから化粧品等の汚れを除去する洗顔処理と、マッサージジェルをフェイスの全体に塗布する処理を施す。準備工程１は、従来一般に実施されている洗顔処理を施すことにより、毛穴等に入り込んだ汚れ成分を除去するとともに栄養成分を補給する。準備工程１は、マッサージジェル塗布処理により、導電性ジェルをフェイスの全体に薄く擦り込むことにより、皮膚に導電性を付与して後工程における通電によるマッサージ効果が高められるようにする。
【００１５】
マッサージジェルは、導電性成分とともに各種の栄養成分を含んで皮膚に浸透して美容効果とともに後工程におけるマッサージ効果等を高めるジェル剤であり、溶媒の水に、例えばグリセリン、ＢＧ（ブチレングリコール）、ＤＰＧ（ジプロピレングリコール）、カルボマー、アラントイン、グリチルリチン酸２Ｋ、フェノキシエタノール、メチルパラペン或いは水酸化カリウム等を含有する。また、マッサージジェルには、例えば加水分解コラーゲン、水溶性コラーゲン、オトギリソウエキス、アルニカ花エキス、シナノキエキス、ゼニアオイエキス、セイヨウノコギリソウエキス、セージ葉エキス、トウキンセンカ花エキス等の栄養成分を含有する。なお、マッサージジェルは、かかる成分に限定されないことは勿論であり、上述した構成成分の一部が使用されたり適宜の栄養成分等が加えられたものを用いるようにしてもよい。
【００１６】
フェイシャル美容施術法は、表情筋引き締め工程２において、マッサージジェルを塗布した顧客のフェイスに対して図２及び図３に示した電気的筋肉刺激装置（ＥＭＳ機器：Electric Muscle Stimulation）５を用いて低周波刺激信号と高周波刺激信号を同時かつランダムに通電する。ＥＭＳ機器とは、従来電気刺激を利用して筋力増強や痩身を行う筋肉トレーニング装置として一般的に用いられている機器であり、皮膚に粘着させたパッドを介して低周波数の刺激信号を通電して筋肉に電気的刺激を加える。ＥＭＳ機器は、詳細を省略するがコントローラ部と低周波刺激信号発生部と高周波刺激信号発生部とを内蔵する。
【００１７】
フェイシャル美容施術法においては、基本的には従来のＥＭＳ機器と同等の機能を有するＥＭＳ機器５が用いられ、図２に示すように本体５ａと接続したＡＣアダプタ５ｂを商用電源コンセントに結合することにより電源接続が行われる。ＥＭＳ機器５は、本体５ａに電源オンボタン５ｃと電源オフボタン５ｄが設けられ、電源のオン・オフ操作が行われる。ＥＭＳ機器５は、本体５ａに設けたタイマボタン５ｅによりタイマ設定を行って表示器５ｆにより設定値が表示されるようにする。
【００１８】
ＥＭＳ機器５は、本体５ａに設けたインターバルボタン５ｇを操作して、刺激信号の通電間隔を適宜設定する。ＥＭＳ機器５は、本体５ａに３種類の周波数刺激信号を選択する選択ボタン５ｈや、出力調整用のボタン５ｉが設けられて周波数刺激信号の選択や出力調整が行われる。ＥＭＳ機器５は、左右一対のインジケータ５ｊにより、出力レベルの表示が行われる。ＥＭＳ機器５は、本体５ａに対してコード５ｋを介してプローブ６が接続される。
【００１９】
プローブ６は、図２及び図３に示すように、筒状のホルダ部６ａと、このホルダ部６ａの先端から突出された一対の電極子６ｂ、６ｃとから構成される。プローブ６は、同図に示すようにホルダ部６ａの先端から一対の電極子６ｂ、６ｃが互いに所定の間隔を保持されて突出されており、顧客のフェイスに押し当てられることにより所定の周波数刺激信号を印加する。プローブ６は、上述した本体５ａ側のインターバルボタン５ｇや周波数刺激信号選択ボタン５ｈ或いは出力調整用ボタン５ｉの操作により設定された条件に基づく周波数刺激信号を電極子６ｂ、６ｃから出力する。
【００２０】
以上のように構成されたＥＭＳ機器５は、電源オンボタン５ｃを操作して電源が供給されると、周波数刺激信号選択ボタン５ｈにより所定周波数の刺激信号が選択される。ＥＭＳ機器５は、タイマボタン５ｅにより施術時間の設定操作、すなわち一般的な施術では１０分の設定操作が行われる。ＥＭＳ機器５は、プローブ６の電極子６ｂ、６ｃを顧客のフェイスに押し当てた状態を保持して、出力調整用ボタン５ｉにより周波数刺激信号の出力レベルを次第に上げていく。ＥＭＳ機器５は、この場合に一方の電極子６ｂを小鼻に押し当てるとともに他方の電極子６ｃを頬骨に押し当て、所定の効果が達成される範囲で顧客の個人差や好みに合わせ周波数刺激信号の出力レベルを調整する。
【００２１】
表情筋引き締め工程２においては、上述した周波数刺激信号の出力レベルの調整を終了したＥＭＳ機器５を用いて、図３矢印で示すようにプローブ６の電極子６ｂ、６ｃをフェイスに押し当てた状態を保持しながら首筋とフェイス各部をスライド操作するマッサージを施す。表情筋引き締め工程２においては、具体的にはＥＭＳ機器５を用いて、同図矢印で示すように首筋を下から上へとなで上げるようにしてプローブ６をスライド操作して首筋の筋肉に周波数刺激信号を印加して刺激する首筋マッサージを施す。表情筋引き締め工程２においては、次に同図矢印で示すように顔の片側ずつ、顎部位に対してその中央から側方へとなでるようにしてプローブ６をスライド操作する顎部位マッサージを施す。
【００２２】
表情筋引き締め工程２においては、顎部位のマッサージを終えると、図３矢印で示すように顔の片側ずつ、頬部位に対してその中央から側方へとなでるようにしてプローブ６をスライド操作する頬部位マッサージを施す。表情筋引き締め工程２においては、頬部位のマッサージを終えると、図３矢印で示すように額部位を下から上へとなで上げるようにしてプローブ６をスライド操作する額部位マッサージを施す。表情筋引き締め工程２においては、上述した首筋部位から額部位に対するマッサージをタイマボタン５ｅにより設定した施術時間の範囲で繰り返し行う。
【００２３】
表情筋引き締め工程２においては、上述したＥＭＳ機器５を用いたマッサージを施すことにより、プローブ６の一対の電極子６ｂ、６ｃを介して顧客のマッサージ箇所に対して低周波刺激信号と高周波刺激信号が同時かつランダムに通電されるようにする。表情筋引き締め工程２においては、このように低周波刺激信号と高周波刺激信号を印加する形態により、表情筋を構成する各筋肉を全体に亘って効率よく刺激して働きを活発化させることでフェイスラインを引き締める。
【００２４】
なお、表情筋引き締め工程２は、一対の電極子６ｂ、６ｃを押し当てた状態を保持したプローブ６をスライド操作して周波数刺激信号を表情筋に作用させて引き締める作用を奏することから広義の意味でマッサージと表現した。表情筋引き締め工程２は、ＥＭＳ機器５のプローブ操作が上述した施術に限定されないことは勿論であり、カウンセリング結果や顧客の使用感等に基づいて周波数刺激信号の出力レベルの調整ととも適宜の回数や部位に施される。
【００２５】
フェイシャル美容施術法は、上述した表情筋引き締め工程２を施してフェイスラインを引き締めた顧客のフェイスに対して、代謝促進工程３により図４に示した詳細を後述する微弱電流発生器７を用いた微弱電流を通電しながら皮膚マッサージを施すことにより、肌の代謝促進を図る。代謝促進工程３は、微弱電流発生器７が本体７ａと、この本体７ａに接続される導電性トーニング・グローブ８とから構成され、トーニング・グローブ８を介して上述したようにフェイスに微弱電流を通電しながら皮膚マッサージを施すことによりコラーゲン生成を促進して肌に張りと弾力を生じさせるとともに血行の促進により肌の代謝を高める。
【００２６】
微弱電流発生器７は、詳細を省略するがコントローラ部や微弱電流発生部等を内蔵し、図４に示すように本体７ａに、メイン電源スイッチ７ｂと、トーニング・グローブ８への通電をオンオフするトーニング・グローブ電源スイッチ７ｃと、タイマセットスイッチ７ｄと、微弱電流の出力レベルを調整するボリュームスイッチ７ｅと、出力モードを選択するモード切替スイッチ７ｆ等が設けられる。微弱電流発生器７は、ボリュームスイッチ７ｅを調整することにより、例えば０．５Ｈｚ〜５Ｈｚ程度の低周波数の微弱電流を出力する。微弱電流発生器７は、モード切替スイッチ７ｆにより出力モードを選択して出力波形を異にする微弱電流を出力することにより、同一波形の微弱電流を継続して通電することによる慣れのための効果低減が抑制されるようにする。
【００２７】
微弱電流発生器７は、トーニング・グローブ８が、本体７ａに設けたコネクタにコード７ｊの先端に設けたプラグを差し込むことにより接続される。トーニング・グローブ８は、左右一対からなり、エステティック施術者の左右の手にはめられて用いられる。トーニング・グローブ８は、導電性の大きい銀糸を編み込んだ耐久性を有する手袋であり、エステティック施術者がマッサージを施すことにより手先から直接顧客の肌に対して直接微弱電流が通電されて効率のよいマッサージ効果が図られるようにする。なお、トーニング・グローブ８は、後述するようにマッサージジェルを塗布して用いることから、長期間の使用により送電特性が低下することがあり、一定期間を使用した後に交換することが好ましい。
【００２８】
代謝促進工程３においては、微弱電流発生器７が、商用電源に接続してメイン電源スイッチ７ｂのオン操作が行われるとともにトーニング・グローブ８が接続され、タイマセットスイッチ７ｄにより２０分の時間が設定される。代謝促進工程３においては、エステティック施術者の手にトーニング・グローブ８がはめられるとともにトーニング・グローブ電源スイッチ７ｃのオン操作が行われ、モード切替スイッチ７ｆを操作して出力モードが選択される。代謝促進工程３においては、トーニング・グローブ８を顧客のフェイスにあてがった状態でボリュームスイッチ７ｅにより微弱電流の出力レベルが調整される。
【００２９】
代謝促進工程３においては、トーニング・グローブ８の手の平部位に上述した表情引き締め工程２と同等のマッサージジェルを塗布した後に、図５に示すようにエステティック施術者による顧客の首筋からフェイス各部のマッサージが施される。代謝促進工程３においては、同図（Ａ）において1で示すようにトーニング・グローブ８で両頬を覆うように密着させて約１０秒間保持し、さらに2で示すようにトーニング・グローブ８を額と顎に置いて額の引き上げる状態を約１０秒保持する操作を繰り返し２セット行う。代謝促進工程３においては、同図において3で示すように顎からこめかみまで、トーニング・グローブ８を内側から外側に向かってゆっくりと移動させる操作を２セット行う。代謝促進工程３においては、同図において4で示すようにトーニング・グローブ８をフェイスライン、頬、目の下に沿ってゆっくりと移動させる操作を２セット行う。
【００３０】
代謝促進工程３においては、図５（Ｂ）において5で示すようにトーニング・グローブ８で眉を挟み中心から外側へとゆっくりと移動させる操作を２セット行う。代謝促進工程３においては、同図において6で示すようにトーニング・グローブ８の一方を額に乗せるとともに他方の指で目の回りに沿ってゆっくりと移動させる操作を２セット行う。代謝促進工程３においては、同図において7で示すようにトーニング・グローブ８により、額を引き上げるようにしてゆっくりと移動させる操作を２セット行う。
【００３１】
代謝促進工程３においては、図５（Ｃ）において点で示す各ポイントをトーニング・グローブ８の指先で押す操作を２セット行う。
【００３２】
代謝促進工程３においては、図５（Ｄ）において9で示すようにトーニング・グローブ８の一方で首の下側を支えるようにした状態で他方で鎖骨の手前から耳下腺まで引き上げるようにしてゆっくりと移動させる操作を２セット行う。代謝促進工程３においては、同図において10で示すようにトーニング・グローブ８で顎先から耳下腺まで引き上げるようにして３秒間で移動させる操作を３セット行う。代謝促進工程３においては、同図において11で示すようにトーニング・グローブ８の両手で両肩先から首筋を通って耳の後ろまでゆっくりと移動させる操作を５セット行う。
【００３３】
代謝促進工程３においては、最終工程としてトーニング・グローブ８の指先を耳の後ろにあてて引き上げるように６秒間で移動させる仕上げの操作を３セット行う。代謝促進工程３においては、トーニング・グローブ８によるマッサージによりフェイス各部や首筋等に付着したマッサージゲルを暖かいタオルで拭き取る処理が施される。
【００３４】
代謝促進工程３においては、上述したように時間をかけてトーニング・グローブ８から微弱電流を通電して軽い刺激を与えながらゆっくり移動させるマッサージを施すことにより、顧客に対するリラクゼイション効果も奏されるようにすることによりマッサージ効果がさらに高められるようにする。代謝促進工程３においては、しわやたるみが生じやすい上述した箇所を中心としてトーニング・グローブ８によりマッサージを施すことにより、コラーゲン生成と血行を促進させてその改善が図られるようにする。なお、代謝促進工程３は、トーニング・グローブ８を用いる上述したマッサージ施術を標準として、カウンセリング結果等に基づいてマッサージ箇所やセット数或いは時間が適宜調製される。
【００３５】
フェイシャル美容施術法は、上述した表情筋引き締め工程２と代謝促進工程３の施術を施した後に、仕上げ工程である海藻エキスと植物エキスを配合したパック剤を塗布し、所定時間の経過後に取り除くパック工程４を施すことにより、肌の美白化と保湿による肌のキメを整える。パック工程４は、パック剤として詳細には、基材成分として珪藻土、アルギン酸ナトリウム、硫酸カルシウム、ピロリン酸４価ナトリウムが用いられる。パック剤には、着色剤として酸化チタンが用いられる。パック剤には、添加剤としてアルコルビン酸ナトリウム、ユキノシタエキス、ブドウエキス、ソウハクヒエキス、オウゴンエキスが用いられる。パック剤は、安定化剤として水溶性が大きく金属イオンを不活性化させるキレート試薬であるＥＤＴＡ（エチレンジアミン４酢酸）−２Ｎａが用いられる。パック剤は、上述した基材成分と着色剤と添加剤と安定化剤を、溶剤として用いる精製水とＢＧとにより混ぜ合わせて調製する。
【００３６】
パック工程４においては、上述したパック剤を顧客のフェイスと首筋に塗布して約１０分間放置する。パック工程４においては、固まったパック剤を剥がして取り除くことにより終了する。パック工程４においては、パック剤が上述した成分に限定されないことは勿論であり、上述した構成成分の一部が使用されたり適宜の栄養成分等が加えられたものを用いるようにしてもよい。パック工程４においては、カウンセリング結果や顧客の使用感等に基づいて構成成分が適宜調製される。
【００３７】
フェイシャル美容施術法においては、表情筋引き締め工程２と代謝促進工程３とを施してしわやたるみの改善が図られるとともに代謝が高められた肌に対してパック工程４が施こされる。フェイシャル美容施術法においては、これによりパック剤の有効成分が肌に効率的に吸収され、肌本来の機能が高められるようにするとともに、毛穴の引き締め、肌の美白化や潤いが与えられるようにする。
【図面の簡単な説明】
【００３８】
【図１】フェイシャル美容施術法の工程図である。
【図２】表情引き締め工程に用いるＥＭＳ機器の平面図である。
【図３】表情引き締め工程における施術の説明図である。
【図４】代謝促進工程に用いる微弱電流発生の斜視図である。
【図５】代謝促進工程における施術の説明図である。
【符号の説明】
【００３９】
１        準備工程
２        表情引き締め工程
３        代謝促進工程
４        パック工程
５        ＥＭＳ機器
６        プローブ
７        微弱電流発生器
８        トーニング・グローブ
【図１】
2008173230.tif 000003
【図２】
2008173230.tif 000004
【図３】
2008173230.tif 000005
【図４】
2008173230.tif 000006
【図５】
2008173230.tif 000007